(57)【要約】【課題】サムネイル画像を記憶するための記憶容量の小型化と、サムネイル一覧表示を高速化することの両方を実現できるようにする。【解決手段】ディスクに記録するサムネイル画像の枚数をサムネイル一覧表示の１ページに表示できる枚数に限定し、使用者がサムネイル一覧表示の操作を行うと、デコードを行わずにサムネイル一覧表示の１ページ目を出力する。また、サムネイル一覧表示の２ページ目以降におけるサムネイル画像の生成は、１ページ目を出力している間に行うようにして、大量のメモリを消費することなく、かつ直前にデコードを行う場合と比べて、高速に表示できるようにする。【選択図】図１
2008017057.tif 000002
【特許請求の範囲】
【請求項１】
入力された動画像データを管理単位毎に記録媒体に記録する記録手段と、
前記記録媒体に記録された動画像データに基づき、前記管理単位毎のサムネイル画像データを生成するサムネイル生成手段と、
前記記録手段によって前記記録媒体に特定数の管理単位が記録されたことに応じて、前記記録媒体に記録された特定数の管理単位のサムネイル画像データを生成するよう前記サムネイル生成手段を制御すると共に、前記サムネイル生成手段によって生成された前記特定数の管理単位のサムネイル画像データを前記記録媒体に記録するように前記記録手段を制御する制御手段とを備えることを特徴とする記録再生装置。
【請求項２】
前記サムネイル生成手段によって生成されたサムネイル画像データに係るサムネイル画像を表示部に一覧表示する表示手段を備え、
前記特定数は、前記表示手段によってサムネイル画像一覧表示の１ページに表示されるサムネイル画像の枚数であることを特徴とする請求項１に記載の記録再生装置。
【請求項３】
前記制御手段は、前記記録媒体の種類に応じて前記記録手段の処理を切替えることを特徴とする請求項１または２に記載の記録再生装置。
【請求項４】
前記記録媒体が追記型記録媒体である場合、前記特定数の管理単位が記録された後に前記サムネイル生成手段が前記サムネイル画像データを生成し、前記記録手段が前記サムネイル画像データを前記記録媒体に記録して以後前記記録媒体に対して書き換えを行わないように、前記制御手段により制御することを特徴とする請求項３に記載の記録再生装置。
【請求項５】
前記記録媒体が書き換え型記録媒体であり、前記記録媒体に記録されたサムネイル画像データに対応する動画像データが削除された場合は、前記制御手段は、前記記録手段が前記記録媒体に記録されていたサムネイル画像データを削除して記録可能領域を設け、前記サムネイル生成手段が再度まとめてサムネイル画像データを生成し、前記記録手段が前記サムネイル画像データを前記記録媒体に記録するように制御することを特徴とする請求項３に記載の記録再生装置。
【請求項６】
前記サムネイル画像データは、非圧縮であることを特徴とする請求項１〜５の何れか１項に記載の記録再生装置。
【請求項７】
前記サムネイル生成手段は、前記記録媒体に記録された動画像データのうちの１フレームをＪＰＥＧ方式にて圧縮符号化することにより前記サムネイル画像データを生成することを特徴とする請求項１〜５の何れか１項に記載の記録再生装置。
【請求項８】
前記記録媒体が追記型記録媒体である場合、ファイナライズ時に前記記録媒体に記録されたサムネイル画像データを保持するように、前記制御手段により前記記録手段を制御することを特徴とする請求項３に記載の記録再生装置。
【請求項９】
前記記録媒体が書き換え型記録媒体であり、前記サムネイル画像データが作成されていない場合、ファイナライズ時にサムネイル画像データを生成するように、前記制御手段により前記サムネイル生成手段を制御することを特徴とする請求項３に記載の記録再生装置。
【請求項１０】
前記記録手段は、前記サムネイル画像データをPrivate＿IDによって分類されるユーザーデータとして前記記録媒体に記録することを特徴とする請求項１〜７の何れか１項に記載の記録再生装置。
【請求項１１】
前記記録手段は、前記サムネイル画像データをファイルシステムから無効な領域として扱われるように前記記録媒体に記録することを特徴とする請求項１〜７の何れか１項に記載の記録再生装置。
【請求項１２】
前記記録媒体に記録されたサムネイル画像データは、アプリケーションの管理情報として取り扱われることを特徴とする請求項１１に記載の記録再生装置。
【請求項１３】
前記サムネイル生成手段は、前記表示手段によって前記記録媒体に記録されたサムネイル画像データを用いてサムネイル一覧表示を行っている間に、次のページ以降に必要なサムネイル画像データを生成することを特徴とする請求項３〜１２の何れか１項に記載の記録再生装置。
【請求項１４】
入力された動画像データを管理単位毎に記録媒体に記録する記録工程と、
前記記録媒体に記録された動画像データに基づき、前記管理単位毎のサムネイル画像データを生成するサムネイル生成工程と、
前記記録工程において前記記録媒体に特定数の管理単位が記録されたことに応じて、前記記録媒体に記録された特定数の管理単位のサムネイル画像データを生成するよう前記サムネイル生成工程における処理を制御すると共に、前記サムネイル生成工程において生成された前記特定数の管理単位のサムネイル画像データを前記記録媒体に記録するように前記記録工程における処理を制御する制御工程とを備えることを特徴とする記録再生方法。
【請求項１５】
入力された動画像データを管理単位毎に記録媒体に記録する記録工程と、
前記記録媒体に記録された動画像データに基づき、前記管理単位毎のサムネイル画像データを生成するサムネイル生成工程と、
前記記録工程において前記記録媒体に特定数の管理単位が記録されたことに応じて、前記記録媒体に記録された特定数の管理単位のサムネイル画像データを生成するよう前記サムネイル生成工程における処理を制御すると共に、前記サムネイル生成工程において生成された前記特定数の管理単位のサムネイル画像データを前記記録媒体に記録するように前記記録工程における処理を制御する制御工程とを備える記録再生方法をコンピュータに実行させることを特徴とするプログラム。
【請求項１６】
請求項１５に記載のプログラムを記憶したことを特徴とするコンピュータ読み取り可能な記憶媒体。
【発明の詳細な説明】
【技術分野】
【０００１】
本発明は記録再生装置、記録再生方法、プログラム及び記憶媒体に関し、特に、静止画あるいは動画などの映像情報を記録媒体に記録したり、再生したりするために用いて好適な技術に関する。
【背景技術】
【０００２】
近年、ＤＶＤのような光ディスクに対して動画像や音声を記録可能なデジタルビデオカメラが登場してきている。この様なＤＶＤデジタルビデオカメラは一般的に、撮影した画像を再生する際に、記録したシーンの代表画像（以下、サムネイル画像）を一覧表示し、これら一覧表示されたサムネイル画像の中から所望のシーンを選択する構成となっている。
【０００３】
サムネイル画像を表示する場合には、各シーンのサムネイル画像が記録されたディスク上の領域に順次アクセスし、記録されている各シーンのサムネイル画像を再生する必要がある。そのため、サムネイル画像の一覧画面を表示するまでに時間がかかってしまうという問題が存在する。特に、再生と再生停止とを繰り返すような操作を行うと、その都度一覧表示を行うことになるため、軽快な操作感が失われてしまう。このような問題に対し、例えば、特許文献１には、サムネイル画像用のバッファメモリを設けて、サムネイル画像の出画時間を短縮するという方法が開示されている。
【０００４】
【特許文献１】特開２００１−１８９９１５号公報
【発明の開示】
【発明が解決しようとする課題】
【０００５】
しかしながら、前記従来技術の構成では、サムネイル一覧表示を行う場合に、表示の直前にデコードを行うので、デコードを行う時間だけ表示が遅くなる問題点があった。特に、表示枚数が多い場合などではユーザが不快に思うくらい表示が遅くなる可能性があった。
【０００６】
また、特許文献１に記載されているように、サムネイル画像をバッファメモリに記憶しておく構成においても、再生停止時におけるシーンのサムネイル画像がバッファメモリに記憶されていない場合は、サムネイル画像を改めて再生する必要があった。そのため、サムネイル画像の一覧画面を表示するまでに長い時間がかかってしまうという問題があった。
【０００７】
このような問題点を解消するために、代表画像をバッファメモリに記憶しておくようにすると、サムネイル画像を記憶するための記憶容量が大きくなってしまうという問題点があった。
【０００８】
本発明は前述の問題点に鑑み、サムネイル画像を記憶するための記憶容量の小型化と、サムネイル一覧表示を高速化することの両方を実現できるようにすることを目的としている。
【課題を解決するための手段】
【０００９】
本発明の記録再生装置は、入力された動画像データを管理単位毎に記録媒体に記録する記録手段と、前記記録媒体に記録された動画像データに基づき、前記管理単位毎のサムネイル画像データを生成するサムネイル生成手段と、前記記録手段によって前記記録媒体に特定数の管理単位が記録されたことに応じて、前記記録媒体に記録された特定数の管理単位のサムネイル画像データを生成するよう前記サムネイル生成手段を制御すると共に、前記サムネイル生成手段によって生成された前記特定数の管理単位のサムネイル画像データを前記記録媒体に記録するように前記記録手段を制御する制御手段とを備えることを特徴とする。
【００１０】
本発明の記録再生方法は、入力された動画像データを管理単位毎に記録媒体に記録する記録工程と、前記記録媒体に記録された動画像データに基づき、前記管理単位毎のサムネイル画像データを生成するサムネイル生成工程と、前記記録工程において前記記録媒体に特定数の管理単位が記録されたことに応じて、前記記録媒体に記録された特定数の管理単位のサムネイル画像データを生成するよう前記サムネイル生成工程における処理を制御すると共に、前記サムネイル生成工程において生成された前記特定数の管理単位のサムネイル画像データを前記記録媒体に記録するように前記記録工程における処理を制御する制御工程とを備えることを特徴とする。
【００１１】
本発明のプログラムは、入力された動画像データを管理単位毎に記録媒体に記録する記録工程と、前記記録媒体に記録された動画像データに基づき、前記管理単位毎のサムネイル画像データを生成するサムネイル生成工程と、前記記録工程において前記記録媒体に特定数の管理単位が記録されたことに応じて、前記記録媒体に記録された特定数の管理単位のサムネイル画像データを生成するよう前記サムネイル生成工程における処理を制御すると共に、前記サムネイル生成工程において生成された前記特定数の管理単位のサムネイル画像データを前記記録媒体に記録するように前記記録工程における処理を制御する制御工程とを備える記録再生方法をコンピュータに実行させることを特徴とする。
【００１２】
本発明の記憶媒体は、前記のプログラムを記憶したことを特徴とする。
【発明の効果】
【００１３】
本発明によれば、記録媒体に特定数の管理単位が記録されたら、前記特定数の管理単位のサムネイル画像データを生成して、前記記録媒体に記録するようにしたので、大量のメモリを消費することなく、サムネイル一覧表示を高速に行うことができる。これにより、表示枚数が多い場合においても素早い表示を行うことが可能となり、使用者にとって好適な記録再生を実現することができ、使い勝手に優れたＤＶＤビデオカメラを提供することができる。
【発明を実施するための最良の形態】
【００１４】
（第１の実施形態）
以下、本発明の実施形態について、図面を参照しながら説明する。
図１は、本実施形態の記録再生装置の構成を説明するブロック図である。本実施形態の記録再生装置は、入力部１０１、符号化部１０２、多重化部１０３、Ｒ／Ｗ部１０４、分離部１０５、復号化部１０６、出力部１０７、操作部１０８、制御部１０９、サムネイル生成部１１０及びサムネイル制御部１１１等によって構成されている。
【００１５】
前述のように構成された本実施形態の記録再生装置においては、操作部１０８において記録の操作がなされると、制御部１０９は符号化部１０２、多重化部１０３、及びＲ／Ｗ部１０４に対して記録の指示を通知する。入力部１０１から入力された動画像データや音声データを符号化部１０２へ出力する。符号化部１０２は、ＭＰＥＧなどの周知の圧縮符号化方法により、入力部１０１から入力された動画像データを符号化し、また、ＡＣ３などの周知の圧縮符号化方法により、入力部１０１から入力された音声データを符号化し、多重化部１０３へと出力する。
【００１６】
多重化部１０３は、符号化部１０２から入力された動画像ストリームや音声ストリームを記録媒体に適合したＤＶＤフォーマットへ多重化し、Ｒ／Ｗ部１０４へ出力する。Ｒ／Ｗ部１０４は、多重化部１０３において多重化されたストリームをディスクＤに書き込む。
【００１７】
次に、操作部１０８において再生の操作がなされると、制御部１０９は復号化部１０６、分離部１０５、及びＲ／Ｗ部１０４に対して再生の指示を通知する。Ｒ／Ｗ部１０４は、ディスクＤより多重化されたストリームを読み出し、分離部１０５へ出力する。また、Ｒ／Ｗ部１０４は、ディスクＤの管理情報を読み出し、制御部１０９へ通知する。なお、前記管理情報には、各チャプタの記録時間や先頭の物理アドレスなどが記憶されている。
【００１８】
分離部１０５は、Ｒ／Ｗ部１０４より出力されたストリームを動画像ストリームや音声ストリームなどに分離し、復号化部１０６へ出力する。復号化部１０６は、分離部１０５より出力された動画像ストリームや音声ストリームを復号して出力部１０７へ出力する。出力部１０７は、ＴＶや液晶画面に動画像信号を出力するとともに、スピーカーに音声信号を出力する。
【００１９】
また、Ｒ／Ｗ部１０４は、制御部１０９に管理情報、記録媒体の種類などを通知する。制御部１０９は、記録処理が終わるとサムネイル制御部１１１に、記録媒体に記録されているチャプタ数、記録媒体の種類を通知する。サムネイル制御部１１１は、制御部１０９より通知されたチャプタ数、記録媒体の種類に応じて、サムネイル画像を生成するか否かを判断する。
【００２０】
サムネイル画像を生成する場合は、制御部１０９及びサムネイル生成部１１０にサムネイル画像生成開始を通知する。まず、各チャプタの先頭のＩピクチャを含むストリームが分離部１０５にてストリームから動画ストリームに分離される。次に、復号化部１０６にて動画像データに復号され、サムネイル生成部１１０にてサムネイル画像が縮小されて生成される。また、サムネイル生成部１１０はサムネイル画像を生成すると、サムネイル画像はＲ／Ｗ部１０４を通してディスクＤに記録される。
【００２１】
サムネイル一覧表示する場合は、ディスクＤに記録されたサムネイル画像をＲ／Ｗ部１０４より読み出し、出力部１０７へ出力する。つまり、サムネイル一覧画面の最初の１ページについて、表示の直前にデコードを行う必要がない構成となっている。
【００２２】
次に、図７を参照しながら、各チャプタの再生順や、先頭のアドレス、再生時間などの情報を含む管理ファイルについて説明する。図７は、ＤＶＤフォーマットのファイル構成を示す図である。
【００２３】
ＤＶＤフォーマットのファイル構成のうち、ＤＶＤビデオゾーンは、ビデオマネージャー（ＶＭＧ）と、ビデオタイトルセット（ＶＴＳ）とから構成される。ビデオマネージャー（ＶＭＧ）と、ビデオタイトルセット（ＶＴＳ）とは、それぞれ複数のファイルで構成されている。ビデオマネージャー（ＶＭＧ）は、ビデオタイトルセット（ＶＴＳ）を制御するための情報である。
【００２４】
ビデオマネージャー（ＶＭＧ）は、ビデオタイトルセット等を制御する制御データとしてのビデオマネージャーインフォーメーション（ＶＭＧＩ）と、メニュー表示のためのデータとしてのビデオオブジェクトセット（ＶＭＧＭ＿ＶＯＢＳ）とを有する。また、バックアップ用のビデオマネージャーインフォーメーション（ＶＭＧＩ＿ＢＵＰ）も有する。
【００２５】
ビデオタイトルセット（ＶＴＳ）は、制御データとしてのビデオタイトルセットインフォーメーション（ＶＴＳＩ）と、メニュー表示のためのデータとしてのビデオオブジェクトセット（ＶＭＧＭ＿ＶＯＢＳ）とを有する。また、映像表示のためのビデオオブジェクトセットであるビデオタイトルセットのタイトルのためのビデオオブジェクトセット（ＶＴＳＴＴ＿ＶＯＢＳ）も有する。さらに、バックアップ用のビデオタイトルセットインフォーメーション（ＶＴＳＩ＿ＢＵＰ）も有する。ＶＴＳＩは、記録した各チャプタの再生順や、先頭のアドレス、再生時間などの情報を含み、以後、管理情報はＶＴＳＩとそれを制御するＶＭＧＩを指すものとする。
【００２６】
次に、図２を参照しながら、本実施形態におけるサムネイル制御部１１１の制御について説明する。図２は、本実施形態におけるサムネイル画像作成の処理手順の一例を示すフローチャートである。なお、図２に示す処理は、一つのシーンの撮影が完了する度に実行される。
【００２７】
まず、ステップＳ２０１において、記録媒体（ディスクＤ）の種類をチェックする。チェックする情報は、Ｒ／Ｗ部１０４がディスクＤにアクセスする際に分かる情報であり、Ｒ／Ｗ部１０４から制御部１０９を介してサムネイル制御部１１１へ通知される。次に、ステップＳ２０２において、ディスクＤに記録されているチャプタ数が所定の枚数以上かどうかをチェックする。
【００２８】
図６は、本実施形態におけるサムネイル一覧表示画面の一例を示す図である。
７０１はサムネイル一覧画面であり、７０２はサムネイル生成部１１０にて生成されたサムネイル画像である。図６の場合、サムネイル一覧画面７０１には、６枚のサムネイル画像７０２が表示されている。枚数は６枚に限らず使用者が任意に設定できる。７０３は一覧画面操作ボタンであり、この一覧画面操作ボタン７０３を押すことによってサムネイル一覧画面７０１の前後のページに移動することができる。
【００２９】
次に、ステップＳ２０２においては、ステップＳ２０１で前記記録媒体（ディスクＤ）の種類を通知したのと同様に、Ｒ／Ｗ部１０４がディスクＤから管理情報を読み出し、制御部１０９を介してサムネイル制御部１１１へ通知する。管理情報には、ディスクＤに記録されている各チャプタが記録されているアドレスや、記録時間などが書かれているので、ディスクＤに記録されているチャプタ数が分かる。
【００３０】
ステップＳ２０２のチェックの結果、まだディスクＤにチャプタが所定の枚数記録されていない場合は、サムネイル画像を生成せずに処理を終了する。一方、ステップＳ２０２のチェックの結果、チャプタが所定の枚数記録されている場合は、ステップＳ２０３へ処理を進める。
【００３１】
次に、ステップＳ２０３において、Ｒ／Ｗ部１０４及び制御部１０９を介して既にサムネイル画像がディスクＤに記録済みかどうかをチェックする。このチェックの結果、サムネイル画像が既に記録されていればステップＳ２０４へ進む。一方、ステップＳ２０３のチェックの結果、サムネイル画像がまだ記録されていないならばステップＳ２０７へ進む。
【００３２】
次に、ステップＳ２０４において、Ｒ／Ｗ部１０４及び制御部１０９を介して記録媒体（ディスクＤ）が書き換え型か否かを判別する。この判別の結果、書き換え型ではなく追記型であれば、サムネイル画像を生成せずに処理を終了する。一方、ステップＳ２０４の判別の結果、書き換え型であれば、ステップＳ２０５へ処理を進める。
【００３３】
次に、ステップＳ２０５において、Ｒ／Ｗ部１０４及び制御部１０９を介して、使用者の編集作業により既にディスクＤに記録されているサムネイル画像に対応するストリームが削除されていないかどうかをチェックする。このチェックの結果、削除されてしまっていたらステップＳ２０６へ進む。一方、ステップＳ２０５のチェックの結果、そのまま残っていたらサムネイル画像を生成せずに処理を終了する。
【００３４】
次に、ステップＳ２０６において、ディスクＤに記録済みのサムネイル画像を全て削除し、記録可能領域を設ける。次に、ステップＳ２０７において、サムネイル画像の生成、記録を行う。具体的にはまず、サムネイル一覧表示の１ページ目に表示するサムネイル画像の生成に必要な各チャプタの先頭フレームのＩピクチャを読み出し、サムネイル生成部１１０にてサムネイル画像を生成する。
【００３５】
そして、サムネイル制御部１１１からサムネイル生成部１１０にディスクＤに記録する際のアドレスを通知し、サムネイル生成部１１０は、Ｒ／Ｗ部１０４を介してディスクＤにサムネイル画像を記録する。この時、サムネイル画像はＵＤＦなどのファイルシステム上ではなく、アプリケーションの管理情報にて管理される領域に記録される。
【００３６】
次に、ステップＳ２０８においては、サムネイル画像をディスクＤに記録したので、制御部１０９は管理情報も更新しＲ／Ｗ部１０４を介してディスクＤに記録する。そして、処理を終了する。
【００３７】
次に、図３−１を参照しながら、本実施形態において、追記型記録媒体にＤＶＤビデオフォーマットでサムネイル画像を記録する様態を説明する。
図３−１は、図２に示したサムネイル画像生成処理において、追記型の記録媒体を用いてＤＶＤビデオフォーマットで記録した場合のデータの記録様態を示す概略図である。
【００３８】
ＤＶＤビデオフォーマットの場合には、図３−１（１）に示すように、１つ以上のチャプタからなる１タイトル分の動画フォーマットが、ＶＴＳ（Video Title Set）情報として連続的に記録される。図３−１（１）においては、ＶＴＳ＃１に６個のチャプタがディスクＤに記録されている場合を示している。ここまでは、従来のＤＶＤビデオフォーマットの場合と同じである。
【００３９】
６個のチャプタがディスクＤに記録されると、図２に示すサムネイル制御部１１１の処理に従ってサムネイル画像が作成され、図３−１（２）に示すように各チャプタに対応した６枚のサムネイル画像が記録される。このとき、サムネイル画像はＶＧＭＩやＶＴＳＩなどの管理情報が管理されている領域ではなく、アプリケーションの管理情報が管理されている領域に記録される。
【００４０】
以後、使用者の操作に従って、図３−１（３）に示すようにＤＶＤビデオフォーマットを形成する。前記のように記録されることによって、サムネイル画像が記録されている領域は、ＵＤＦなどのファイルシステムからは無効なデータ領域として認識される。これにより、図３−１（３）に示すようにサムネイル画像が記録されていてもディスクを問題なく再生することができる。
【００４１】
次に、図３−２を参照しながら、ファイルシステムとＤＶＤビデオフォーマットとの関係について説明する。図３−２は、ファイルシステムとＤＶＤビデオフォーマットとの関係を示す概念図である。
【００４２】
ＵＤＦなどのファイルシステムからは、ＶＭＧや各ＶＴＳなどのファイル、いわゆるＤＶＤビデオフォーマットとしてディスクＤを認識することができる。ただし、サムネイル画像が記録されている領域は、ファイルシステムからは無効な領域として認識される。
【００４３】
次に、図４を参照しながら、本実施形態におけるサムネイル一覧の表示処理について説明する。図４は、本実施形態におけるサムネイル一覧の表示手順の一例を示すフローチャートである。
まず、ステップＳ４０１において、ディスクＤから管理情報を取得する。次に、ステップＳ４０２において、図３−１に示すようにディスクＤ上に記録されたサムネイル画像をＲ／Ｗ部１０４より読み出し、出力部１０７へ出力する。
【００４４】
次に、ステップＳ４０３において、読み出したサムネイル画像よりサムネイル一覧画面を生成する。なお、この時点で、ＴＶや液晶画面にサムネイル一覧表示画面が出力されている。しかし、使用者の操作によりサムネイル一覧表示画面のページを移動されると、デコードを行わないとサムネイル画像を作成できないことにより表示に時間が掛かってしまう。そこで、本実施形態においては、サムネイル一覧表示画面が出力されている間に、以後のページに必要なサムネイル画像を前もって作成する。
【００４５】
次に、ステップＳ４０４において、制御部１０９がサムネイル画像の生成を終了するかどうか判断する。制御部１０９は、全てのチャプタに対するサムネイル画像を生成した場合、ビデオカメラのモードをサムネイル一覧表示から記録や再生に切替えた場合、前もって生成したサムネイル画像を蓄えるメモリが溢れた場合などの条件でサムネイル画像の生成を終了する。
【００４６】
この判断の結果、制御部１０９がサムネイル画像の生成を終了とした場合は、処理を終了する。一方、ステップＳ４０４の判断の結果、サムネイル画像の生成を終了としない場合は、ステップＳ４０５へ進む。
【００４７】
次に、ステップＳ４０５において、ステップＳ４０１で取得した管理情報に従って、チャプタの先頭のＩピクチャを含むストリームをディスクＤから読み出す。次に、ステップＳ４０６において、サムネイル生成部１１０にてサムネイル画像を生成する。そして、ステップＳ４０４に戻る。
【００４８】
以上のように本実施形態においては、使用者がサムネイル一覧表示の操作を行うと、デコードを行わずにサムネイル一覧表示の１ページ目を出力することができる。これにより、各チャプタの記録領域にアクセスして画像データを再生、復号してサムネイル画像を生成する場合と比べて、高速に表示することができる。また、サムネイル一覧表示の２ページ目以降におけるサムネイル画像の生成は、１ページ目を出力している間に行っているので、使用者が不快に思わないようにすることができる。
【００４９】
また、ディスクに記録するサムネイル画像の枚数をサムネイル一覧表示の１ページに表示できる枚数に限定することにより、ディスク残量を圧迫することもない。これにより、使用者にとって好適なディスクビデオカメラを提供することができる。
【００５０】
また、本実施形態ではサムネイル画像に非圧縮（ビットマップ）の動画像データを縮小したものを使用した。一方、近年のＤＶＤビデオカメラでは静止画同時撮影機能も備えているので、サムネイル生成部１１０でＪＰＥＧなどの圧縮符号化した静止画を記録媒体に記録する構成としてもよい。
【００５１】
また、本実施形態ではサムネイル画像をファイルシステムとは別のアプリケーションの管理情報で扱うデータとして記録媒体に記録した。ところが、サムネイル画像をファイルシステムでＰｒｉｖａｔｅ＿ＩＤによって分類されるユーザーデータとして記録する構成としてもよい。
【００５２】
（第２の実施形態）
本実施形態では、ファイナライズ時の処理について説明する。なお、本実施形態における記録再生装置の機能構成は、第１の実施形態と同様であるため、説明は省略する。
【００５３】
図５は、本実施形態におけるファイナライズ時の処理手順の一例を示すフローチャートである。
【００５４】
使用者からファイナライズの操作が行われると、まず、ステップＳ５０１において、管理情報を取得する。次に、ステップＳ５０２において、サムネイル画像がディスクＤに既に書き込まれているか否か判断する。この判断の結果、既にサムネイル画像が書き込まれている場合はステップＳ５０５へ進む。一方、ステップＳ５０２の判断の結果、まだ書き込まれていなければステップＳ５０３へ進む。
【００５５】
次に、ステップＳ５０３において、ステップＳ５０１で取得した管理情報に従って、チャプタの先頭のＩピクチャを含むストリームをディスクＤから読み出す。そして、ステップＳ５０４において、サムネイル生成部１１０にてサムネイル画像を生成する。次に、ステップＳ５０５において、ディスクＤに対してファイナライズ処理を行い、処理を終了する。
【００５６】
ファイナライズを行うと、ディスクＤは書き換え不可能となるが、前記のような構成とすることによって、ファイナライズ後には必ずサムネイル画像がディスクＤに記録されることになる。少ないチャプタ数しか記録していないディスクでサムネイル画像が記録されていない場合も、図５に示す処理でサムネイル画像を記録することによって、サムネイル一覧表示の１ページ目をデコード無しで出力することができる。これにより、高速に表示することができる。
【００５７】
（本発明に係る他の実施形態）
本発明は、複数の機器（例えば、ホストコンピュータ、カメラ、インタフェイス機器、液晶パネルなど）から構成されるシステムに適用しても、一つの機器からなる装置に適用してもよい。
【００５８】
前述した本発明の実施形態における記録再生装置を構成する各手段、並びに記録再生方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５９】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００６０】
なお、本発明は、前述した実施形態の機能を実現するソフトウェアのプログラム（実施形態では図２、４、５に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００６１】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６２】
その場合、プログラムの機能を有していれば、オブジェクトコード、インタプリタにより実行されるプログラム、ＯＳに供給するスクリプトデータ等の形態であってもよい。
【００６３】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００６４】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００６５】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６６】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６７】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００６８】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６９】
【図１】本発明の第１の実施形態を示し、記録再生装置の機能構成例を示すブロック図である。
【図２】本発明の第１の実施形態におけるサムネイル画像生成処理の手順の一例を示すフローチャートである。
【図３−１】本発明の第１の実施形態において、追記型の記録媒体を用いてＤＶＤビデオフォーマットで記録した場合のデータの記録様態を示す概略図である。
【図３−２】本発明の第１の実施形態において、ファイルシステムとＤＶＤビデオフォーマットとの関係を示す概念図である。
【図４】本発明の第１の実施形態におけるサムネイル一覧表示処理の手順の一例を示すフローチャートである。
【図５】本発明の第２の実施形態におけるファイナライズ処理の手順の一例を示すフローチャートである。
【図６】サムネイル一覧表示の一例を示す図である。
【図７】ＤＶＤフォーマットのファイル構成を示す図である。
【符号の説明】
【００７０】
１０１  入力部
１０２  符号化部
１０３  多重化部
１０４  Ｒ／Ｗ部
１０５  分離部
１０６  復号化部
１０７  出力部
１０８  操作部
１０９  制御部
１１０  サムネイル生成部
１１１  サムネイル制御部
【図１】
2008017057.tif 000003
【図２】
2008017057.tif 000004
【図３−１】
2008017057.tif 000005
【図３−２】
2008017057.tif 000006
【図４】
2008017057.tif 000007
【図５】
2008017057.tif 000008
【図６】
2008017057.tif 000009
【図７】
2008017057.tif 000010